(57)【要約】  【課題】  本発明は、携帯電話機などの携帯機器を取り出す後、誤って地面に落下してしまう危険性を可及的に軽減すること、また、携帯機器の再収納をスムーズに行うことを目的とする。【解決手段】  開口１ａを有する収納部１にベルト部材２の一端部２１を止着し、ベルト部材２の中間部２２を収納部１の底面１５方向に垂下した後に開口１ａ方向に折り返して携帯機器Ｐを支持する支持面２２ｂを形成し、ベルト部材２の他端部２３を該底面１５側から開口１ａ側へ引き上げることによって該支持面２２ｂを底面１５側から開口１ａ側へ向けて移動させる携帯機器Ｐの収納具において、中間部２２にスリット１２ａに係止する係止片２２ａを設け、またベルト部材２を底面側に引き下げて支持面２２ｂを開口側から底面側へ向けて付勢する弾性ベルトを備えた携帯機器Ｐの収納具である【選択図】        図１
2008086385.tif 000002
【特許請求の範囲】
【請求項１】
開口を有する収納部にベルト部材の一端部を止着し、ベルト部材の中間部を収納部の底面方向に垂下した後に開口方向に折り返して携帯機器を支持する支持面を形成し、ベルト部材の他端部を底面側から開口側へ引き上げることによって支持面を底面側から開口側へ向けて移動させる携帯機器の収納構造において、ベルト部材の中間部に幅方向に突出した係止片を形成し、該係止片によって底面側から開口側への移動を制限することを特徴とする携帯機器の収納構造。
【請求項２】
収納部にベルト部材が挿通されるスリットを形成し、スリットと係止片とが係止することを特徴とする請求項１記載の携帯機器の収納構造。
【請求項３】
ベルト部材を底面側に向けて付勢する弾性ベルトを設けたことを特徴とする請求項１又は２記載の携帯機器の収納構造。
【請求項４】
弾性ベルトが、ベルト部材の中間部と収納部の底面とを連結したものであることを特徴とする請求項３記載の携帯機器の収納構造。
【発明の詳細な説明】
【技術分野】
【０００１】
本発明は、携帯電話機やデジタルカメラ等の携帯機器を収納する収納構造であって、収納された携帯機器を取り出し易くするものに関する。
【背景技術】
【０００２】
従来の携帯電話機用の収納構造のうち、収納された携帯電話機を取りだし易くしたものとして、上部に開口を有する袋体の前面内側にベルト部材の一端を縫い付けて固定し、ベルト部材の中間部を袋体の底面方向へ下げてから開口方向へ折り返し、ベルト部材の他端を袋体の後面に設けたガイド内に通し、他端を袋体の開口を覆う蓋とし、該他端と袋体の前面外側の両者に面状ファスナーを設けて係止できるようにしたのが存在する。
【０００３】
かかる収納構造によれば、ベルト部材の他端を開口方向へ引き出すと、ベルト部材の中間部に押し上げられて携帯電話機が開口方向へと移動して、携帯電話機が袋体の開口から上方に突出するので、携帯電話機を取り出し易くするという利点がある。
【特許文献１】特開２００６−１９９０１０号公報
【発明の開示】
【発明が解決しようとする課題】
【０００４】
しかし、上記収納構造においては、ベルト部材の他端を手で掴んで引き上げた際、ベルト部材を必要以上に引き上げてしまう等に起因して、携帯電話機が収納部の内側から飛び出し、誤って地面に落下してしまう危険性がある。
【０００５】
そこで、本発明の主な目的は、携帯機器を取り出す際、誤って地面に落下してしまう危険性を可及的に軽減することである。
【課題を解決するための手段】
【０００６】
本発明は、開口を有する収納部にベルト部材の一端部を止着し、ベルト部材の中間部を収納部の底面方向に垂下した後に開口方向に折り返して携帯機器を支持する支持面を形成し、ベルト部材の他端部を底面側から開口側へ引き上げることによって支持面を底面側から開口側へ向けて移動させる携帯機器の収納構造において、ベルト部材の中間部に幅方向に突出した係止片を形成し、該係止片によって底面側から開口側への移動を制限することを特徴とする携帯機器の収納構造である。
【０００７】
また、収納部にベルト部材（の中間部）が挿通されるスリットを形成し、スリットと係止片とが係止することを特徴とする上記記載の携帯機器の収納構造である。
【０００８】
このようなものであれば、ベルト部材を開口方向へ引き上げてゆくと、ベルト部材の中間部に幅方向に突出した係止片が係止して、ベルト部材の中間部の移動距離を制限し、必要以上にベルト部材が引き上げられるのが防止される。したがって、支持面の位置（高さ）が高くなりすぎて携帯機器が収納部から完全に離脱して落下する可能性が小さくなる。
【０００９】
なお、係止片はベルト部材と一体的に構成されたものであり、中間部の左右方向の一方又は双方に突出する突片であることが好ましい。
【００１０】
また、ベルト部材の中間部に幅方向に突出した係止片は収納部に設けられた被係止部に係止する。係止片が係止する被係止部としては、収納部の後面の一部を横方向に切り欠いた細幅のスリットや、収納部の後面（の内側）に取り付けた小帯（細長矩形状でその両端を収納部の後面に縫い付けて固定し、両端の間に形成された空間にベルト部材を挿通するもの）などが好ましい。
【００１１】
また、従来技術においては、ベルト部材の他端を手で掴んで上方へ引き出すことにより、ベルト部材の中間部の位置が底面付近よりも上方に変位した状態になるから、使用後の携帯電話機を再び収納しようとすると、携帯電話機でベルト部材の中間部を押圧して押し下げなければならず、携帯電話機とベルト部材の中間部が接触して抵抗となり、スムーズな収納動作が阻害されている。
【００１２】
そこで、本発明は、携帯電話機などの携帯機器を取り出した後、ベルト部材が自動的に引き込まれ、携帯機器の再収納をスムーズに行うことができる収納構造を提供することを第二の目的とする。
【００１３】
前記目的に鑑み、本発明は、ベルト部材を底面側に向けて付勢する弾性ベルトを設けたことを特徴とする上記記載の携帯機器の収納構造とすることもできる。
【００１４】
なお、弾性ベルトが、ベルト部材の中間部と収納部の底面とを連結したものであることを特徴とする携帯機器の収納構造であることが好ましい。
【００１５】
このようなものであると、ベルト部材の他端を手で掴んで開口方向へ引き出すことにより、ベルト部材に設けた弾性ベルトが伸びて、ベルト部材の支持面の位置（高さ）が開口方向へ変位するものの、ベルト部材の他端から手で離すと、ベルト部材は弾性ベルトの弾性力によって自動的に引き込まれるので、ベルト部材の支持面の位置（高さ）は携帯電話機を収納していたときとほぼ同じ状態に戻ることになる。したがって、前記従来技術のように、携帯機器でベルト部材の中間部を押圧して押し下げる必要がなく、スムーズな収納動作が実現できる。
【００１６】
なお、弾性ベルトは一端を中間部に取りつけ、他端を収納部の後面の内側下方や、収納部の底面に取り付けるのが好ましい。
【発明の効果】
【００１７】
本発明は、携帯機器を取り出す際に、携帯機器が収納部から完全に離脱して落下する恐れを可及的に軽減できる。また、携帯電話機でベルト部材の中間部を押圧して押し下げる必要がなく、スムーズな収納動作が実現できる。
【発明を実施するための最良の形態】
【００１８】
以下、本発明を実施するための最良の形態を、実施例として示す各図と共に説明する。
【実施例】
【００１９】
本実施例は、収納部１の前面１１（の内側上方）にベルト部材２の一端部２１を止着し、このベルト部材２の中間部２２を収納部１の底面１５方向に垂下して開口１ａ方向へ向けて折り返し、ベルト部材２の他端２３側から前面１１と対向する後面１２に形成したスリットに挿通させて引き上げ自在とした携帯機器Ｐの収納具であって、ベルト部材２の中間部２２と収納部１の底面１５又は後面１２の内側下方とを帯状の弾性ベルト３で連結した携帯機器の収納具である。
【００２０】
収納部１は、前面１１と、前面に対向する後面１２と、右側面１３と、右側面１３に対向する左側面１４と、底面１５とからなり、開口１ａを有する袋状に形成される。
【００２１】
収納部１の後面１２には開口たるスリット１２ａが形成されており、スリット１２ａの横幅はベルト部材２の中間部２２よりも若干幅広に形成される。なお、スリット１２ａは収納部１の背面を切り欠いて形成されるので、部品点数が増加しないという利点がある。
【００２２】
ベルト部材２は、一端部２１と、他端部２３と、両者の中間に相当する中間部２２からなる。収納部１の前面１１に縫着されている細長帯状の先端部が一端部２１であり、収納部１の開口１ａを覆う幅広の蓋が他端部２３であり、一端部２１と他端部２３を除いた部分が中間部２２である。中間部２２は一端部２１と他端部２３の間を構成し、収納部１の底面１５方向に垂下した後、開口１ａ方向に折り返されてスリット１２ａに至る部分と、スリット１２ａを介して収納部１の外側に露出した部分のうち幅広の蓋を除いた部分である。
【００２３】
ベルト部材２の一端部２１は収納部１の前面１１に縫着されて止着される。中間部２２は収納部１の底面１５方向に垂らした後に開口１ａ方向に折り返され、スリット１２ａを通って収納部１の外側に至る。他端部２３は止め具２３ａを供え、収納部１の外側に形成された止め具１１ａと嵌合する。
【００２４】
また、ベルト部材２の中間部２２には、収納部１の後面１２に形成されたスリット１２ａに係止する係止片２２ａが形成されている。係止片２２ａはベルト部材２の中間部２２において側面１２、１３方向に突出する突片である。
【００２５】
また、ベルト部材２の中間部２２には、ベルト部材２を収納部１の底面１５方向に付勢する弾性ベルト３が連結される。弾性ベルト３は、ベルト部材２の中間部２２（後面１２に沿う部分）と収納部１の底面１５（の内側）又は後面１２の内側下方とを連結しおり、弾性ベルト３の一端はベルト部材の中間部２２に縫着され、他端は収納部１の底面１５又は後面１２の内側下方に縫着される。図１のとおり、弾性ベルト３は、外力が加わっていない状態では、ベルト部材２を底面１５方向に引き下げた状態を保持するものである。弾性ベルト３は例えば弾性力を有し伸縮自在なゴムで構成される。
【００２６】
ベルト部材２を引き上げると図１から図２の状態に変化する。携帯機器Ｐが収納された状態でいえば図３から図４の状態に変化する。ベルト部材２を引き上げる前の状態たる図１ないし図３からベルト部材２を引き上げると、ベルト部材２の中間部２２の一部がスリット１２ａを通過して収納部１の外側に送り出されると共に弾性ベルト３が伸び、収納部１内側に残る中間部２２の長さは相対的に短くなる。そうすると、中間部２２のうちで携帯機器Ｐを支持する支持面２２ｂの位置（高さ）が開口１ａ方向に変位して（図３のＹ１から図４のＹ２へ変位して）、携帯機器Ｐを開口１ａから露出させる。したがって、携帯機器Ｐを容易に取り出すことができる。
【００２７】
このとき、支持面２２ｂの位置（高さ）が高くなりすぎて携帯機器Ｐが収納部から完全に離脱して落下する恐れを軽減するために、ベルト部材２の係止片２２ａがスリット１２ａに係止しており、必要以上に中間部２２の一部が収納部１の外側に送り出されるのを防止している。
【００２８】
続いて、携帯機器Ｐを取り出し、ベルト部材２を引っ張り挙げていた手を離すと、弾性ベルト３の弾性復帰力によって、収納部１の外側に送り出されていた中間部２２の一部が収納部１の内側に引き込まれ、図１の状態に戻る。つまり、中間部２２のうちで携帯機器Ｐを支持する支持面２２ｂの位置（高さ）が底面１５方向に変位する（図４のＹ２から図３のＹ１へ変位する）。したがって、携帯機器Ｐを収納する際、携帯機器Ｐとベルト部材２の中間部２２が接触して抵抗になることはなく、支持面２２ｂは携帯機器Ｐの収納をスムーズに行い得る位置に保持される。
【００２９】
また、ベルト部材２が弾性ベルト３によって引き戻されることにより、ベルト部材２の他端部２３に形成した止め具２３ａと、収納部１に形成した止め具１１ａの相対位置が定まるので（ベルト部材２が引き出されたままでは、両止め具の位置にずれがあり定まり難い）、止め具１１ａ、２３ａを互いに嵌合させる作業も容易になる。
【００３０】
なお、本実施例の収納部１は高さ約１１ｃｍ（後面側。前面側は約９．５ｃｍ）、横幅６ｃｍ、奥行３ｃｍである。また、本実施例のベルト部材２は全長約２６．５ｃｍであり（一端部２１の先端かから他端部２３の先端までの長さ）、他端部２３の先端から係止片２２ａまでが約１７ｃｍであり、左右の係止片２２ａの横幅の合計（右側の係止片２２ａの先から他の左側の係止片２２ａの先までの長さ）は約４．５ｃｍである。スリット１２ａの横幅は約３．８ｃｍである。また、ベルト部材２の止着位置は、前面１１の上端から下方向（底面方向）に約４．５ｃｍの間隔を空けた位置である。
【００３１】
なお、本実施例は縦長の収納部を有するものであるが、他の実施例として、横長の収納部とすることもできる。たとえば、高さ約６ｃｍ（後面）、横幅１１．５ｃｍ、奥行３ｃｍである。
【００３２】
また、本発明にかかる収納構造は、例えば、後面１２の外側にベルトループを形成して、人の腰に巻き付けるベルトを通して装着できるものや、また、他の実施態様として、ショルダーバッグ等のかばんの側面に縫い付けて取り付けることもできる。
【００３３】
また、本実施例は、他端部２３は止め具２３ａを供え、収納部１の外側に形成された止め具１１ａと嵌合するようにしたが、両者を止める手段であればよく、例えば面状ファスナーであってもよい。
【００３４】
なお、係止片を用いることなく、本発明は、開口を有する収納部にベルト部材の一端部を止着し、ベルト部材の中間部を収納部の底面方向に垂下した後に開口方向に折り返して携帯機器を支持する支持面を形成し、ベルト部材の他端部を底面側から開口側へ引き上げることによって支持面を底面側から開口側へ向けて移動させる携帯機器の収納構造において、該ベルト部材に底面側に引き下げて支持面を開口側から底面側へ向けて付勢する弾性ベルトを設けたことを特徴とする携帯機器の収納構造とすることもできる。なお、弾性ベルトが、ベルト部材の中間部と収納部の底面と連結したものであることを特徴とする携帯機器の収納構造であることが好ましい。
【図面の簡単な説明】
【００３５】
【図１】本発明の実施例を示す斜視図。
【図２】本発明の実施例を示す斜視図。
【図３】本発明の実施例の断面図。
【図４】本発明の実施例の断面図。
【符号の説明】
【００３６】
１      収納部
１１    前面
１２    後面
１２ａ  スリット
１３    右側面
１４    左側面
１５    底面
１１ａ  開口
２      ベルト部材
２１    一端部
２２    中間部
２２ａ  係止片
２２ｂ  支持面
２３    他端部
２３ａ  止め具
３      弾性ベルト
【図１】
2008086385.tif 000003
【図２】
2008086385.tif 000004
【図３】
2008086385.tif 000005
【図４】
2008086385.tif 000006